(57)【要約】      （修正有）【課題】投資家が、他の投資家から適切に情報を入手したり、テクニックを習得できる仕組みを利用することを可能にするコミュニティ形成コンピュータを提供する。【解決手段】個人投資家端末装置１２の取引指示を基にＦＸ取引業者サーバ１０が、個人投資家を複数のコミュニティに自動的に割り当てる。各個人投資家は、同じコミュニティの他の個人投資家の取引履歴および実績、取引指示を出したときに用いてチャートの時間足を知ることができる。経験の少ない個人投資家が、他の個人投資家から適切に情報を入手したり、テクニックを習得できる仕組みを利用できる。【選択図】図２
2011107897.tif 000002
【特許請求の範囲】
【請求項１】
複数のユーザコンピュータが、金融取引対象の売買を行う取引業者コンピュータに取引指示を行う場合に用いられるコミュニティ生成コンピュータであって、
前記取引業者コンピュータまたは前記ユーザコンピュータから、前記ユーザの取引指示内容および当該取引指示が出された時刻を示す取引指示データを受信する受信手段と、
前記受信した取引指示データを基に、前記複数のユーザをグルーピングして複数のコミュニティを生成するコミュニティ生成手段と、
前記コミュニティ生成手段で生成された複数のコミュニティの属性に基づいて、各コミュニティに属する前記ユーザの前記ユーザコンピュータに、当該コミュニティに対応付けられた情報を提供する情報提供手段と
を有するコミュニティ形成コンピュータ。
【請求項２】
前記受信手段は、前記ユーザコンピュータから、前記取引指示を出したタイミングで画面表示されていた前記金融取引対象の取引価格に関するチャートの時間足を示す時間足データを受信し、
前記情報提供手段は、前記受信した取引指示データと前記時間足データとを関連付けて、当該取引指示データを送信したユーザに対応付けられたコミュニティに属する他のユーザの前記ユーザコンピュータに送信する
請求項１に記載のコミュニティ形成コンピュータ。
【請求項３】
前記受信手段は、前記取引指示が約定した結果を示す約定データを受信し、
前記情報提供手段は、前記取引指示と、それに対応した前記時間足データおよび前記約定データとを前記ユーザコンピュータに送信する
請求項２に記載のコミュニティ形成コンピュータ。
【請求項４】
前記受信手段が受信した、前記ユーザが取引した通過ペア、売り買い、売り買いの時刻を少なくとも示す前記約定データを記憶するメモリ
を有し、
前記コミュニティ生成手段は、前記メモリから読み出した前記約定データを基に、前記ユーザの取引実績を計算し、当該取引実績を基に前記コミュニティを生成する
請求項３に記載のコミュニティ形成コンピュータ。
【請求項５】
前記受信手段は、前記ユーザコンピュータから、特定のユーザを指定した情報要求指示を受信し、
前記情報提供手段は、前記受信手段が受信した前記情報要求指示で指定されたユーザの前記取引指示データ、前記時間足データおよび前記約定データを前記メモリから読み出し、当該読み出したデータを前記ユーザに送信する
請求項４に記載のコミュニティ形成コンピュータ。
【請求項６】
前記ユーザコンピュータと通信を行って、前記ユーザに対して当該ユーザの取引指示を公開することに同意した旨の手続き処理を行う手続き処理手段
をさらに有し、
前記情報提供手段は、前記同意した前記ユーザの前記取引指示データと前記時間足データを前記他のユーザに送信する
請求項２に記載のコミュニティ形成コンピュータ。
【請求項７】
前記コミュニティ生成手段は、
前記金融取引対象の価格データ、あるいは当該価格データに影響を及ぼす時事データに基づいて、前記コミュニティを動的に生成する
請求項１〜６のいずれかに記載のコミュニティ形成コンピュータ。
【請求項８】
前記複数のユーザコンピュータの前記取引指示データを基に統計処理を行い、その統計処理の結果を基に前記金融取引対象の売買に参考となる指標データを生成し、当該指標データを前記複数のユーザコンピュータに送信する指標提供手段
をさらに有する請求項１〜７のいずれかに記載のコミュニティ形成コンピュータ。
【請求項９】
前記複数のユーザコンピュータの前記取引指示データを基に、ユーザの取引における行動診断を行う診断手段
をさらに有する請求項１〜８のいずれかに記載のコミュニティ形成コンピュータ。
【請求項１０】
前記コミュニティ生成手段は、前記受信手段が受信した前記時間足データを基に、表示している時間足が複数ある場合に、その組み合わせを基に前記コミュニティを生成する
請求項２に記載のコミュニティ形成コンピュータ。
【請求項１１】
金融取引対処の売買を行うために用いられる金融取引コンピュータであって、
所定のコミュニティに属する他のユーザの取引指示内容および当該取引指示が出された時刻を示す取引指示データを受信する受信手段と、
前記前記取引対象の取引金額を示すレートデータを記憶するメモリと、
前記他のユーザの取引指示データを受信すると、前記メモリから読み出したレートデータを基に画面表示したチャート上の上記取引指示データで示される時刻に対応した箇所に、その取引指示の内容を示す画像を表示する処理手段と
を有する金融取引コンピュータ。
【請求項１２】
金融取引対象の売買価格を示すレートデータを、ユーザが取引指示を行うために用いる複数のユーザコンピュータに送信する第１の工程と、
金融取引対象の売買を行う取引業者コンピュータあるいは前記ユーザコンピュータからコミュニティサーバに、前記ユーザの取引指示内容および当該取引指示が出された時刻を示す取引指示データを送信する第２の工程と、
前記コミュニティサーバが、前記受信した取引指示データを基に、前記複数のユーザをグルーピングして複数のコミュニティを生成する第３の工程と、
前記コミュニティサーバが、前記第３の工程で生成された複数のコミュニティの属性に基づいて、各コミュニティに属する前記ユーザの前記ユーザコンピュータに、当該コミュニティに対応付けられた前記ユーザの前記取引指示データを提供する第４の工程と
を有する金融取引支援方法。
【請求項１３】
前記ユーザコンピュータが、他のユーザの前記取引指示データを受信する第５の工程と、
前記ユーザコンピュータが、前記第１の工程で受信した前記前記取引対象の取引金額を示すレートデータを基に画面表示したチャート上で、前記第５の工程で受信した前記他のユーザの取引指示データで示される時刻に対応した箇所に、その取引指示の内容を示す画像を表示する第６の工程
をさらに有する請求項１３に記載の金融取引支援方法。
【請求項１４】
複数のユーザコンピュータが、金融取引対象の売買を行う取引業者コンピュータに取引指示を行う場合に用いられるコミュニティ生成コンピュータが実行するプログラムであって、
前記取引業者コンピュータまたは前記ユーザコンピュータから、前記ユーザの取引指示内容および当該取引指示が出された時刻を示す取引指示データを受信する受信手順と、
前記受信した取引指示データを基に、前記複数のユーザをグルーピングして複数のコミュニティを生成するコミュニティ生成手順と、
前記コミュニティ生成手順で生成された複数のコミュニティの属性に基づいて、各コミュニティに属する前記ユーザの前記ユーザコンピュータに、当該コミュニティに対応付けられた情報を提供する情報提供手順と
をコミュニティ生成コンピュータに実行させるプログラム。
【発明の詳細な説明】
【技術分野】
【０００１】
本発明は、複数の指標値（インディケータ）を同時に考慮した金融商品の取引を可能にする金融取引支援方法、その装置およびそのプログラムに関するものである。
【背景技術】
【０００２】
近年のコンピュータ及び通信技術の発展により、為替取引（ＦＸ）等の金融取引がインターネット等のネットワークを介して行われている。
このような金融取引では、例えば、金融取引を取扱う取引業者が保有する取引業者サーバと個人投資家のコンピュータ（端末）とが通信を行いながら取引が行われる。
【０００３】
為替取引は、為替変動に合わせてタイミング良く通貨を売買することで、為替差益を得るために行われる。
為替取引は、株等の他の金融商品と異なる点が多く、例えば、外貨預金に比べて柔軟性が高いことや、資金効率が良い投資商品として注目されている。
外貨預金は、例えば米ドルを買って預金する。つまり、米ドル高の場合は利益が出て、米ドル安の場合は損失が出るというものである。一方、外為取引では、米ドルが下落すると予想したら「米ドル売り・円買い」という注文ができる。 
つまり為替取引は、為替相場の動きに注目して、高くなるだろう通貨は「買い（Bid）」、安くなるだろう通貨は「売り（Ask）」というように、為替差益がプラスに転じるようにトレードが可能であり、極めて為替変動への対応度が高い。
【発明の開示】
【発明が解決しようとする課題】
【０００４】
ところで、近年、多数の新たなユーザが為替取引を始めている。
しかしながら、これらのユーザは、十分な経験や知識がないために、取引に失敗して資金を失い、為替取引の市場から離れてしまうことが多い。
【０００５】
本発明はかかる事情に鑑みてなされたものであり、その目的は、投資家が、他の投資家から適切に情報を入手したり、テクニックを習得できる仕組みを利用することを可能にするコミュニティ形成コンピュータ、金融取引コンピュータ、金融取引支援方法およびそのプログラムを提供することにある。
【課題を解決するための手段】
【０００６】
上述した従来技術の問題点を解決し、上述した目的を達成するために、第１の観点の発明のコミュニティ形成コンピュータは、複数のユーザコンピュータが、金融取引対象の売買を行う取引業者コンピュータに取引指示を行う場合に用いられるコミュニティ生成コンピュータであって、前記取引業者コンピュータまたは前記ユーザコンピュータから、前記ユーザの取引指示内容および当該取引指示が出された時刻を示す取引指示データを受信する受信手段と、前記受信した取引指示データを基に、前記複数のユーザをグルーピングして複数のコミュニティを生成するコミュニティ生成手段と、前記コミュニティ生成手段で生成された複数のコミュニティの属性に基づいて、各コミュニティに属する前記ユーザの前記ユーザコンピュータに、当該コミュニティに対応付けられた情報を提供する情報提供手段とを有する。
【０００７】
第２の観点の発明の金融取引コンピュータは、金融取引対処の売買を行うために用いられるコンピュータであって、所定のコミュニティに属する他のユーザの取引指示内容および当該取引指示が出された時刻を示す取引指示データを受信する受信手段と、前記前記取引対象の取引金額を示すレートデータを記憶するメモリと、前記他のユーザの取引指示データを受信すると、前記メモリから読み出したレートデータを基に画面表示したチャート上の上記取引指示データで示される時刻に対応した箇所に、その取引指示の内容を示す画像を表示する処理手段とを有する。
【０００８】
第３の観点の発明の金融取引支援方法は、金融取引対象の売買価格を示すレートデータを、ユーザが取引指示を行うために用いる複数のユーザコンピュータに送信する第１の工程と、金融取引対象の売買を行う取引業者コンピュータあるいは前記ユーザコンピュータからコミュニティサーバに、前記ユーザの取引指示内容および当該取引指示が出された時刻を示す取引指示データを送信する第２の工程と、前記コミュニティサーバが、前記受信した取引指示データを基に、前記複数のユーザをグルーピングして複数のコミュニティを生成する第３の工程と、前記コミュニティサーバが、前記第３の工程で生成された複数のコミュニティの属性に基づいて、各コミュニティに属する前記ユーザの前記ユーザコンピュータに、当該コミュニティに対応付けられた前記ユーザの前記取引指示データを提供する第４の工程とを有する。
【０００９】
第４の発明のプログラムは、複数のユーザコンピュータが、金融取引対象の売買を行う取引業者コンピュータに取引指示を行う場合に用いられるコミュニティ生成コンピュータが実行するプログラムであって、前記取引業者コンピュータまたは前記ユーザコンピュータから、前記ユーザの取引指示内容および当該取引指示が出された時刻を示す取引指示データを受信する受信手順と、前記受信した取引指示データを基に、前記複数のユーザをグルーピングして複数のコミュニティを生成するコミュニティ生成手順と、前記コミュニティ生成手順で生成された複数のコミュニティの属性に基づいて、各コミュニティに属する前記ユーザの前記ユーザコンピュータに、当該コミュニティに対応付けられた情報を提供する情報提供手順とをコミュニティ生成コンピュータに実行させる。
【発明の効果】
【００１０】
本発明によれば、投資家が、他の投資家から適切に情報を入手したり、テクニックを習得できる仕組みを利用することを可能にするコミュニティ形成コンピュータ、金融取引コンピュータ、金融取引支援方法およびそのプログラムを提供することができる。
【図面の簡単な説明】
【００１１】
【図１】図１は、本発明の実施形態に係るＦＸ処理システムの全体構成図である。
【図２】図２は、図１に示すＦＸ取引業者サーバにおけるデータの流れを説明するための図である。
【図３】図３は、図１に示すＦＸ取引業者サーバの構成図である。
【図４】図４は、図１に示すＦＸ取引業者サーバの処理を説明するためのフローチャートである。
【図５】図５は、図１に示す個人投資家端末装置の構成図である。
【図６】図６は、図１に示すコミュニティサーバの構成図である。
【図７】図７は、図６に示すコミュニティサーバの機能ブロック図である。
【図８】図８は、図１に示すコミュニティサーバによって生成されたコミュニティの一例を説明するための図である。
【図９】図９は、本発明の実施形態で用いられるコミュニティの属性を説明するための図である。
【図１０】図１０は、図１に示すコミュニティサーバのコミュニティ生成の処理を説明するための図である。
【図１１】図１１は、図１に示すコミュニティサーバが個人投資家端末装置に提供するユーザプロフィールの画面を説明するための図である。
【図１２】図１２は、図１に示すコミュニティサーバが個人投資家端末装置に提供するトレード情報表示画面を説明するための図である。
【図１３】図１３は、図１に示すコミュニティサーバが、ユーザからの要求に応じて他のユーザの取引履歴データを提供する場合の処理を説明するためのフローチャートである。
【図１４】図１４は、本発明の実施形態に係わるトレード情報表示画面を説明するための図である。
【図１５】図１５は、本発明の実施形態に係わるＦＸ取引業者サーバのその他の例を説明するための図である。
【図１６】図１６は、本発明の実施形態に係わるＦＸ取引業者サーバのその他の例を説明するための図である。
【発明を実施するための形態】
【００１２】
以下、本発明を為替取引に適用した場合を例示する。
＜第１実施形態＞
以下、本発明の実施形態に係るＦＸ処理システムについて説明する。
図１は、本発明の実施形態に係るＦＸ処理システム１の全体構成図である。
図１に示すように、ＦＸ処理システム１は、例えば、ＦＸ取引業者サーバ１０、個人投資家端末装置１２およびコミュニティサーバ１４を有する。
【００１３】
以下、本発明の構成と本実施形態の構成との対応関係を説明する。
本実施形態のコミュニティサーバ１４のインタフェース２３１が第１の発明の受信手段の一例であり、コミュニティ作成機能モジュール７４が第１の発明のコミュニティ生成手段の一例であり、シグナル配信機能モジュール６４が第１の発明の情報提供手段の一例である。
【００１４】
［ＦＸ取引業者サーバ１０］
ＦＸ取引業者サーバ１０は、例えば図２に示すように、取引機能部２１およびシグナルキャプチャ配信機能部２３等を有する。
ＦＸ取引業者サーバ１０の取引機能部２１は、個人投資家端末装置１２から通貨ペアを指定した買い又は売りの注文に基づいて、通貨ペアの取引を行う。
取引機能部２１は、例えば、通貨ペアについての売買取引を管理する複数のＦＸ取引サーバで構成されている。各ＦＸ取引サーバが、自らが管轄する通貨ペアについての売買取引を管理する。上記ＦＸ取引サーバの機能は、ＦＸ取引業者サーバ１０の内部および外部のいずれにあってもよい。
各ＦＸ取引サーバは、自らが管轄する通貨ペアのレートを時系列に示すレートデータを生成する。
各ＦＸ取引サーバが生成する上記レートデータは、一般に公開される。
【００１５】
本実施形態では、以下の通貨ペアのレートを時系列に示すレートデータＲＤをそれぞれ生成する２８個のＦＸ取引サーバがある。
各ＦＸ取引サーバは、管轄する通貨ペアについての投資家等からの売り買い情報に基づいて、通貨ペアのレートを決定する。
円／米ドル、英ポンド／米ドル、ユーロ／米ドル、スイスフラン／米ドル、豪ドル／米ドル、ＮＺドル／米ドル、カナダドル／米ドル、米ドル／円、英ポンド／円、ユーロ／円、スイスフラン／円、豪ドル／円、ＮＺドル／円、カナダドル／円、米ドル／、英ポンド、円／英ポンド、ユーロ／英ポンド、スイスフラン／英ポンド、豪ドル／英ポンド、ＮＺドル／英ポンド、カナダドル／英ポンド、米ドル／ユーロ、円／ユーロ、英ポンド／ユーロ、スイスフラン／ユーロ、豪ドル／ユーロ、ＮＺドル／ユーロ、カナダドル／ユーロ、米ドル／スイスフラン、円／スイスフラン、英ポンド／スイスフラン、ユーロ／スイスフラン、豪ドル／スイスフラン、ＮＺドル／スイスフラン、カナダドル／スイスフラン、米ドル／豪ドル、円／豪ドル、英ポンド／豪ドル、ユーロ／豪ドル、スイスフラン／豪ドル、ＮＺドル／豪ドル、カナダドル／豪ドル、米ドル／ＮＺドル、円／ＮＺドル、英ポンド／ＮＺドル、ユーロ／ＮＺドル、スイスフラン／ＮＺドル、豪ドル／ＮＺドル、カナダドル／ＮＺドル、米ドル／カナダドル、円／カナダドル、英ポンド／カナダドル、ユーロ／カナダドル、スイスフラン／カナダドル、豪ドル／カナダドル、ＮＺドル／カナダドル
【００１６】
例えば、通貨ペア「米ドル／円」のＦＸ取引サーバは、レートデータＲＤ（米ドル／円）を生成する。
レートデータＲＤは、例えば、所定の時間間隔のレートを示しており、月足、週足、日足、分足の複数形態で選択的に表示される。
【００１７】
本実施形態では、通貨ペア「通貨ＣＸｎ／通貨ＣＹｍ」のレートデータＲＤを、「ＲＤ（ＣＸｎ／ＣＹｍ）」と示すこととする。
【００１８】
この場合に、ＲＤ生成サーバ群１０を構成する２８個のＦＸ取引サーバは、以下に示す２８個の通貨ペアのレートデータＲＤ（ＣＸｎ／ＣＹｍ）を生成する。
【００１９】
レートデータＲＤ（円／米ドル）、ＲＤ（英ポンド／米ドル）、ＲＤ（ユーロ／米ド）、ＲＤ（スイスフラン／米ドル）、ＲＤ（豪ドル／米ドル）、ＲＤ（ＮＺドル／米ドル）、ＲＤ（カナダドル／米ドル）、ＲＤ（米ドル／円）、ＲＤ（英ポンド／円）、ＲＤ（ユーロ／円）、ＲＤ（スイスフラン／円）、ＲＤ（豪ドル／円）、ＲＤ（ＮＺドル／円）、ＲＤ（カナダドル／円）、ＲＤ（米ドル／英ポンド）、ＲＤ（円／英ポンド）、ＲＤ（ユーロ／英ポンド）、ＲＤ（スイスフラン／英ポンド）、ＲＤ（豪ドル／英ポンド）、ＲＤ（ＮＺドル／英ポンド）、ＲＤ（カナダドル／英ポンド）、ＲＤ（米ドル／ユーロ）、ＲＤ（円／ユーロ）、ＲＤ（英ポンド／ユーロ）、ＲＤ（スイスフラン／ユーロ）、ＲＤ（豪ドル／ユーロ）、ＲＤ（ＮＺドル／ユーロ）、ＲＤ（カナダドル／ユーロ）、ＲＤ（米ドル／スイスフラン）、ＲＤ（円／スイスフラン）、ＲＤ（英ポンド／スイスフラン）、ＲＤ（ユーロ／スイスフラン）、ＲＤ（豪ドル／スイスフラン）、ＲＤ（ＮＺドル／スイスフラン）、ＲＤ（カナダドル／スイスフラン）、ＲＤ（米ドル／豪ドル）、ＲＤ（円／豪ドル）、ＲＤ（英ポンド／豪ドル）、ＲＤ（ユーロ／豪ドル）、ＲＤ（スイスフラン／豪ドル）、ＲＤ（ＮＺドル／豪ドル）、ＲＤ（カナダドル／豪ドル）、ＲＤ（米ドル／ＮＺドル）、ＲＤ（円／ＮＺドル）、ＲＤ（英ポンド／ＮＺドル）、ＲＤ（ユーロ／ＮＺドル）、ＲＤ（スイスフラン／ＮＺドル）、ＲＤ（豪ドル／ＮＺドル）、ＲＤ（カナダドル／ＮＺドル）、ＲＤ（米ドル／カナダドル）、ＲＤ（円／カナダドル）、ＲＤ（英ポンド／カナダドル）、ＲＤ（ユーロ／カナダドル）、ＲＤ（スイスフラン／カナダドル）、ＲＤ（豪ドル／カナダドル）、ＲＤ（ＮＺドル／カナダドル）
【００２０】
取引機能部２１は、１分足、５分足、１５分足、３０分足、１時間足、４時間足、日足、週足および月足のレートデータＲＤ（ＣＸｎ／ＣＹｍ）をそれぞれ生成し、これをシグナルキャプチャ配信機能部２３を介して、個人投資家端末装置１２およびコミュニティサーバ１４ＦＸ取引業者サーバ１２に出力する。
各時間足のレートデータＲＤ（ＣＸｎ／ＣＹｍ）は、各時刻について、その時刻から時間足分の時間における、レートの始値、高値、安値、終値を対応付けて示している。
【００２１】
取引機能部２１は、個人投資家端末装置１４からの通貨ペアを指定した買い又は売りの注文に基づいて、それに対応した注文をＦＸ取引サーバに送信する。
当該注文には、取引の提示価格（ビット／オファー）が示されている。
【００２２】
図３は、図１および図２に示すＦＸ取引業者サーバ１０の構成図である。
図３に示すように、ＦＸ取引業者サーバ１０は、例えば、インタフェース３１、操作部３３、ディスプレイ３５、メモリ３７、作業メモリ３９および処理回路４１を有する。
ここで、インタフェース３１、操作部３３、ディスプレイ３５、メモリ３７および処理回路４１は、内部バス３０を介して接続されている。
インタフェース３１は、例えば、インターネット等のネットワーク９を介して個人投資家端末装置１２およびコミュニティサーバ１４とデータおよび要求の送受信を行う。
操作部３３は、キーボードやマウス等である。
ディスプレイ３５は、処理回路４１からの表示信号に応じた画面を表示する。
メモリ３７は、処理回路４１の処理に用いられるプログラムおよびデータを記憶する。
作業メモリ３９は、処理回路３１における処理途中の中間データ等を記憶する。
処理回路４１は、メモリ３７から読み出したプログラムを実行する。
処理回路４１は、ＦＸ取引業者サーバ１０の処理を統括して制御する。また、処理回路４１の処理は、メモリ３７に処理対象および処理途中のデータを適宜記憶して実行される。
【００２３】
処理回路４１は、プログラムを実行して図２に示す取引機能部２１およびシグナルキャプチャ配信機能部２３の機能を実現する。
図４は、図２に示すシグナルキャプチャ配信機能部２３の処理を説明するためのフローチャートである。
シグナルキャプチャ配信機能部２３は、個人投資家端末装置１２から受信した個人投資家の売買指示を示す取引指示データ、その取引指示を出したタイミングで個人投資家が画面表示していたチャートの時間足を示す時間足データを個人投資家端末装置１２から受信し、これをメモリ３７に書き込む。取引指示を出したタイミングで複数の時間足のチャートを表示している場合は、時間足データは、その全ての時間足を示す。
ここで、取引指示データには、その取引の対象となる通過ペア、売買のいずれか、取引指示を発した時刻を少なくとも示している。
また、シグナルキャプチャ配信機能部２３は、これらのデータに含まれるユーザ識別データを基に、コミュニティ関連のサービスを利用しているユーザの取引指示データおよび時間足データを選択して（ステップＳＴ１１）、コミュニティサーバ１４に送信する（ステップＳＴ１２）。
すなわち、シグナルキャプチャ配信機能部２３は、コミュニティ関連のサービスを登録したユーザのユーザ識別データのリストを基に、受信したデータに含まれるユーザ識別データがリスト内にあるか否かで上記選択を行う。
【００２４】
また、シグナルキャプチャ配信機能部２３は、取引機能部２１の取引処理で行われた約定結果データが発生すると（ステップＳＴ３）、それらのうちコミュニティ関連のサービスを利用しているユーザに関する約定結果を示す約定結果データをコミュニティサーバ１４に送信する（ステップＳＴ４）。
上記約定結果データには、その約定の主体となる個人投資家のユーザ識別データ、約定の対象となる通過ペア、売買のいずれか、約定時刻を少なくとも示している。
【００２５】
［個人投資家端末装置１２］
図５は、図１に示す個人投資家端末装置１２の構成図である。
図５に示すように、個人投資家端末装置１２は、例えば、インタフェース１３１、操作部１３３、ディスプレイ１３５、メモリ１３７、作業メモリ１３９および処理回路１４１を有する。
ここで、インタフェース１３１、操作部１３３、ディスプレイ１３５、メモリ１３７および処理回路１４１は、内部バス１３０を介して接続されている。
インタフェース１３１は、例えば、インターネット等のネットワーク９を介してＦＸ取引業者サーバ１０とデータおよび要求の送受信を行う。
操作部１３３は、個人投資家が操作するキーボードやマウス等である。
ディスプレイ１３５は、処理回路１４１からの表示信号に応じた画面を表示する。
メモリ１３７は、処理回路１４１の処理に用いられるプログラムおよびデータを記憶する。
作業メモリ１３９は、処理回路１４１における処理途中の中間データ等を記憶する。
処理回路１４１は、メモリ１３７から読み出したプログラムを実行する。
処理回路１４１は、個人投資家端末装置１２の処理を統括して制御する。また、処理回路１４１の処理は、メモリ１３７に処理対象および処理途中のデータを適宜記憶して実行される。
【００２６】
個人投資家端末装置１２は、１分足、５分足、１５分足、３０分足、１時間足、４時間足、日足、週足および月足のそれぞれのレートデータＲＤ（ＣＸｎ／ＣＹｍ）を、例えば、ＦＸ取引業者サーバ１０からインタフェース１４１を介して受信し、これをメモリ４７に書き込む。
【００２７】
個人投資家端末装置１２の処理回路１４１は、メモリ１３７に記憶されたレートデータをＲＤを基に、ローソク足とインディケータを含むチャートをディスプレイ１３５に表示する。
当該指定および設定は、個人投資家による操作部１４３の操作に基づいて行われる。
個人投資家が、ディスプレイ１３５に表示されたチャートを見ながら、操作部１４３を操作して取引指示を入力する。これにより、処理回路１４１が、当該取引指示を示す取引指示データと、その取引指示を出したときに用いていたチャートの時間足データとを、インタフェース１３１を介してＦＸ取引業者サーバ１０に送信する。
当該取引指示データには、少なくとも取引した通貨ペア、売り買い、売り買いの時刻を示すデータが含まれている。
【００２８】
［コミュニティサーバ１４］
図６は、図１に示すコミュニティサーバ１４の構成図である。
図６に示すように、コミュニティサーバ１４は、例えば、インタフェース２３１、操作部２３３、ディスプレイ２３５、メモリ２３７、作業メモリ２３９および処理回路２４１を有する。
ここで、インタフェース２３１、操作部２３３、ディスプレイ２３５、メモリ２３７および処理回路２４１は、内部バス２３０を介して接続されている。
インタフェース２３１は、例えば、インターネット等のネットワーク９を介してＦＸ取引業者サーバ１０および個人投資家端末装置１２とデータおよび要求の送受信を行う。
操作部２３３は、コミュニティの管理者が操作するキーボードやマウス等である。
ディスプレイ２３５は、処理回路２４１からの表示信号に応じた画面を表示する。
メモリ２３７は、処理回路２４１の処理に用いられるプログラムおよびデータを記憶する。
作業メモリ２３９は、処理回路２３１における処理途中の中間データ等を記憶する。
処理回路２４１は、メモリ２３７から読み出したプログラムを実行する。
処理回路２４１は、コミュニティサーバ１４の処理を統括して制御する。また、処理回路２４１の処理は、メモリ２３７に処理対象および処理途中のデータを適宜記憶して実行される。
【００２９】
図７は、図６に示すコミュニティサーバ１４の処理回路２４１が、メモリ２３７から読み出したプログラムを基に実行する機能を説明するための図である。
処理回路２４１は、上記プログラムを実行し、メモリ２３７のメモリ領域を使いながら、ＳＮＳコミュニティＤＢ(Data Base)５１およびＦＸトレード履歴ＤＢ５３を実現する。
また、処理回路２４１は、上記プログラムを実行して、ＤＢアップデータ機能モジュール６１、トレード解析機能モジュール６２、トレードツールモジュール６３、シグナル配信機能モジュール６４、行動分析機能モジュール６５、認証モジュール機能モジュール７１、プロフィール機能モジュール７２、友人検索・登録機能モジュール７３、コミュニティ作成機能モジュール７４、ブログ機能モジュール７５およびトレーダーズリーグ機能モジュール７６を有する。
【００３０】
トレード解析機能モジュール６２は、例えば、個人投資家の取引の診断機能を備えている。登録した個人投資家のトレード動向を複数種類の分析手法で分析・診断し、個人投資家の取引の強み・弱みを適格に判断・分析する。
【００３１】
トレードツールモジュール６３、ＩＳＩｎｄｅｘ（登録商標）と呼ばれるトレードインディケータの提供、ブレイクアウトシグナルの提供、特定のトレーダーからのシグナル配信、ダイバージェンス信号配信、週刊為替予測レポート配信等の機能を備えている。
ＩＳＩｎｄｅｘは、単一の通貨の強弱を指数化したインディケータであり、メジャー８通貨の強弱を指数の数値順に序列化した表および折れ線グラフを表示するために用いられる。
その他のインディケータとして、主要通貨ペア毎の４種類（日足、４時間足、１時間足、１５分足）の時間足毎のトレンドの状態を矢印と数値で表す。
ブレイクアウトシグナル機能は、上述したチャートのスイングを認識し、トレンドの形成を認識する独自のプログラムにより、トレンド形成中にレンジの状態となった場合、そのレンジをブレイクするポイントをプログラムがシグナルとして発信する。
【００３２】
ダイバージェンスシグナル機能は、唯一の反転先行指標であるオシレーターのダイバージェンスを１時間足、１５分足のＲＳＩでダイバージェンスが出現した場合のシグナルを配信する。
週刊為替予測レポート配信機能は、トレンドラインなどの様々な罫線を使用した日足チャートによる天井圏と底値圏の日柄および値動きを予測した週刊レポートを配信する機能である。
【００３３】
コミュニティ作成機能モジュール７４は、図８に示すように、個人投資家端末装置１２の個人投資家を複数のコミュニティＣＭ１〜４に分類する。
各々の個人投資家端末装置１２は、複数のコミュニティＣＭ１〜４に属することが可能である。また、個人投資家端末装置１２は、いずれのコミュニティＣＭ１〜４に属さなくてもよい。
【００３４】
コミュニティ作成機能モジュール７４は、例えば、図９に示すように、個人投資家が取り引きを行う通過ペア、ポジション保持時間、グレード等の予め決められたコミュニティ属性項目に基づいてコミュニティを割り当てる。
具体的には、コミュニティ作成機能モジュール７４は、コミュニティ属性項目の少なくとも一つ、あるいは所定数が共通の個人投資家を同じコミュニティに割り当てる。
【００３５】
また、コミュニティ作成機能モジュール７４は、ＦＸ取引業者サーバ１０から受信した約定結果データを基に、各コミュニティに属する個人投資家の取引実績を計算し、その取引実績データをＦＸトレード履歴ＤＢ５３に書き込む。
また、コミュニティ作成機能モジュール７４は、当該取引実績データを、その取引実績を持つ個人投資家の個人投資家端末装置１２に要求に応じて送信する。
個人投資家端末装置１２は、受信した取引実績データを基に、トレード記帳機能を利用してトレード記録を作成する。
【００３６】
また、個人投資家端末装置１２は、取引指示データを基に、トレード記録を作成する。
トレーダーズリーグ機能モジュール７６ｈは、登録した個人投資家の中から毎月優秀なトレーダベスト何人かを決定し、入賞者には賞金や景品等を贈呈する。このとき、登録には、その個人投資家の取引指示を公開することを条件とする。
これにより、優秀な取引を行う個人投資家の取引の仕方（ポジション情報）がリアルタイムに公開され、それを参照した他の個人投資家が負ける確率を小さくできる。
【００３７】
図１０は、コミュニティサーバ１４によるコミュニティ作成動作を説明するためのフローチャートである。
ステップＳＴ２１：
コミュニティ作成機能モジュール７４は、インタフェース２３１を介してＦＸ取引業者サーバ１０から取引指示データおよび時間足データ、または約定結果データを受信したと判断すると、ステップＳＴ２２に進む。
【００３８】
ステップＳＴ２２：
コミュニティ作成機能モジュール７４は、ステップＳＴ２１で受信した取引指示データおよび時間足データ、または約定結果データを基に、これらのデータに対応した個人投資家が、上記コミュニティ属性項目を用いて、新たにコミュニティに属するか、あるいはコミュニティから離脱するかを決定する処理を行う。
【００３９】
ステップＳＴ２３：
コミュニティ作成機能モジュール７４は、ステップＳＴ１２で決定した内容を、インタフェース２３１を介して、コミュニティの変更に係わる個人投資家の個人投資家端末装置１２に送信する。
個人投資家は、新たなコミュニティの候補の通知を受けると、そのコミュニティに加入するかを判断し、加入すると判断した場合は、操作部１３３を操作して加入指示をコミュニティサーバ１４に送信する。
コミュニティサーバ１４のコミュニティ作成機能モジュール７４は、上記加入指示を受信すると、その個人投資家を、そのコミュニティに加入させる処理を行う。
このとき、コミュニティ作成機能モジュール７４は、その個人投資家の取引指示の内容を、そのコミュニティの他の個人投資家に公開することを許可するかを、当該個人投資家に問い合わせる。そして、コミュニティ作成機能モジュール７４は、許可することを示す回答を受信すると、以後、そのコミュニティの他の個人投資家からの要求に応じて、その取引指示の内容を公開する。
【００４０】
図１１は、コミュニティサーバ１４のプロフィール機能モジュール７２が個人投資家端末装置１２に提供する画面を説明するための図である。
図１１に示すように、プロフィール機能モジュール７２は、フレンドリスト８１内に互いに友人として同意した他の個人投資家のアイコン画像を表示する。当該アイコン画像には、それに対応した友人のプロフィールページへのリンクが付けられている。
また、図１１に示すように、プロフィール機能モジュール７２は、コミュニティ作成機能モジュール７４によって生成されたコミュニティのうち、その個人投資家が属しているコミュニティのアイコン画像をコミュニティリスト８３内に表示する。当該アイコン画像には、それに対応したコミュニティのトップページへのリンクが付けられている。
また、コミュニティリスト８３内には、その個人投資家が未加入のコミュニティのアイコン画像を表示してもよい。
【００４１】
図１２は、各個人投資家のパーフォマンスデータ（実績データ）の一例である。
【００４２】
図１２は、コミュニティサーバ１４が個人投資家端末装置１２から、その個人投資家が属するコミュニティの他の特定の個人投資家のトレード履歴情報の要求を受信した場合の処理を説明するための図である。
ステップＳＴ２１：
コミュニティサーバ１４のシグナル配信機能モジュール６４は、インタフェース２３１を介して個人投資家端末装置１２から、特定の個人投資家を指定したトレード履歴情報の要求を受信したと判断すると、ステップＳＴ２２に進む。
【００４３】
ステップＳＴ２２：
シグナル配信機能モジュール６４は、ステップＳＴ２１で受信した要求で指定された個人投資家のトレード履歴情報をＦＸトレード履歴ＤＢ５３から読み出し、当該要求の送信元の個人投資家の個人投資家端末装置１２にインタフェース２３１から送信する。
このとき、トレード履歴情報には、例えば（      ）が含まれる。
【００４４】
このとき、個人投資家端末装置１２は、ＦＸ取引業者サーバ１０から事前に、ＦＸ取引業者サーバ１０からレートデータＲＤを受信し、メモリ１３７に書き込む。
個人投資家端末装置１２の処理回路１４１は、受信したトレード履歴情報に含まれる取引指示と、その取引指示を出したときに用いていたチャートの時間足データとを基に、当該時間足データに対応したチャートをディスプレイ１３５に表示する。
また、処理回路１４１は、ディスプレイ１３５に表示した上記チャート上で、その個人投資家が取引指示を出したポイントが視覚的に分かるような画面表示を行う。
処理回路１４１は、上述したようなチャートをポップアップ方式でディスプレイ１３５に表示する。
これを見た個人投資家は、他の個人投資家が、どの時間足のチャートを見て取引指示を出したかが分かり、非常に参考になる。
また、これを見た個人投資家は、他の個人投資家の取引態様とその結果を見ることができ、自らの取引を行う際のとてもよい参考になる。
【００４５】
また、個人投資家端末装置１２の処理回路１４１は、コミュニティ作成機能モジュール７４から受信したその個人投資家あるいは他の個人投資家や上記取引実績データ、あるいは処理回路１４１が算出した取引実績データを、例えば図１３に示すように、トレードパフォーマンスとして画面表示する。
図１３に示す画面を見ることで、個人投資家は、自らあるいは他の個人投資家のトレードの実績を容易に知ることができる。
また、図１４に示すように、他人の取引指示の履歴を同じコミュニティの他のユーザに表示することができる。これにより、優秀なユーザが、どの時間足のチャートを見て売り買いをしたかを他のコミュニティのユーザが見ることができ、学習効果が高まる。
【００４６】
上述したＦＸ処理システム１では、経験の少ない個人投資家が、他の個人投資家から適切に情報を入手したり、テクニックを習得できる仕組みを利用することができる。
【００４７】
個人投資家端末装置１２で行われた取引指示およびＦＸ取引業者サーバ１０における約定結果等の全ての取引履歴データが図７に示すコミュニティサーバ１４のＦＸトレード履歴ＤＢ５３に記憶される。そのため、取引の属性や、時刻等を基に、取引履歴をソートでき、取引の特性等を用意に分析できる。
【００４８】
ＦＸ取引業者サーバ１０では、個人投資家端末装置１２は、通常の取引（売買）指示をＦＸ取引業者サーバ１０に送信するだけで、ＦＸ取引業者サーバ１０のシグナルキャプチャ配信機能部２３によって取引指示がコミュニティサーバ１４に自動的に送信される。そのため、個人投資家端末装置１２では、通常のプログラム（ディールブック）を用いることでき、個人投資家は自らが利用しているディールブックが用意するトレード環境を継続して使用できる。
【００４９】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、上述した実施形態では、本発明の金融取引対象として為替を例示したが、株式などのその他の金融取引対象でもよい。
【００５０】
上述した実施形態で説明したＦＸ取引業者サーバ１０およびコミュニティサーバ１４の機能を一つのサーバで実現してもよいし、３つ以上のサーバで実現してもよい。
【００５１】
また、本発明は、図１５に示すように、個人投資家端末装置１２の操作指示データおよび時間足データをコミュニティサーバ１４に送信し、操作指示データをコミュニティサーバ１４がＦＸ取引業者サーバ１０に送信するようにしてもよい。
また、図１６に示すように、個人投資家端末装置１２が操作指示データをＦＸ取引業者サーバ１０およびコミュニティサーバ１４に送信し、時間足データをコミュニティサーバ１４に送信するようにしてもよい。
【００５２】
また、ＦＸ取引業者サーバ１０は、例えば、金融取引対象の価格データ（レートデータ）、あるいは当該価格データに影響を及ぼす時事データに基づいて、コミュニティあるいはコミュニティ候補を動的に生成したり、コミュニティを自動的に解散してもよい。
例えば、ＦＸ取引業者サーバ１０は、レートデータの変化パターンを複数の予め分類し、実際のレートデータに所定の変化パターンが生じた場合には、その変化パターンに予め対応付けられたコミュニティを自動生成する。
このとき、コミュニティのメンバのうち、取引指示データをコミュニティの他のメンバーに公開するメンバーを予め決定しておく。当該公開するメンバーとしては、過去にその変化パターンで優秀な成績の残したメンバーが選ばれる。
当該選ばれたメンバは、例えば、そのコミュニティでは指導者となり、そのコミュニティに属するユーザの数が多いほど、指導者として高い権威付けがされるようにしてもよい。
また、何らかの時事ニュースのうち、レートデータに影響を及ぼす所定の属性の時事ニュースが発生した場合に、それに対応したコミュニティを自動的に生成するようにしてもよい。
【００５３】
また、ＦＸ取引業者サーバ１０は、複数の個人投資家端末装置１２から受信した取引指示データを基に統計処理を行い、その統計処理の結果を基に前記金融取引対象の売買に参考となる指標データを生成し、当該指標データを個人投資家端末装置１２に配信してもよい。
また、ＦＸ取引業者サーバ１０は個人投資家端末装置１２からの取引指示データを基に、ユーザの取引における行動診断を行うようにしてもよい。
【産業上の利用可能性】
【００５４】
本発明は、金融取引対象を取引するためのシステムに適用可能である。
【符号の説明】
【００５５】
１…ＦＸ処理システム
１０…ＦＸ取引業者サーバ
１２…個人投資家端末装置
１４…コミュニティサーバ
３１，１３１，２３１…インタフェース
３３，１３３，２３３…操作部
３５，１３５，２３５…ディスプレイ
３９，１３９，２３９…作業メモリ
４１，１４１，２４１…処理回路
【図１】
2011107897.tif 000003
【図２】
2011107897.tif 000004
【図３】
2011107897.tif 000005
【図４】
2011107897.tif 000006
【図５】
2011107897.tif 000007
【図６】
2011107897.tif 000008
【図７】
2011107897.tif 000009
【図８】
2011107897.tif 000010
【図９】
2011107897.tif 000011
【図１０】
2011107897.tif 000012
【図１１】
2011107897.tif 000013
【図１２】
2011107897.tif 000014
【図１３】
2011107897.tif 000015
【図１４】
2011107897.tif 000016
【図１５】
2011107897.tif 000017
【図１６】
2011107897.tif 000018